(57)【要約】【課題】  棚やニッチスペースなどの狭い空間にも設置することができ、棚等に載置された商品や展示物に効果的に光を照射して演出効果を高めることのできる照明器具及び照明装置を提供する。【解決手段】  両側壁３ａ，３ｂの内壁の長手方向に給電板５ａ，５ｂが設けられたチャンネル状のレールベース１に装着される照明器具を下部外周の対称位置に受電端子１４ａ，１４ｂが設けられ、光源１７が搭載された光源基板が内蔵されて光源１７の照射角度及び首振り角度が可変に形成された照明具本体１０とを有し、この照明具本体１０をレールベース１に着脱可能かつ位置調整可能に装着して受電端子１４ａ，１４ｂを給電板５ａ，５ｂに接続するように構成した。【選択図】        図１
2006236796.tif 000002
【特許請求の範囲】
【請求項１】
両側壁の内壁の長手方向に給電板が設けられたチャンネル状のレールベースに装着される照明器具において、
下部外周の対称位置に受電端子が設けられ、光源が搭載された光源基板が内蔵されて前記光源の照射角度及び首振り角度が可変に形成された照明具本体とを有し、
該照明具本体を前記レールベースに着脱可能かつ位置調整可能に装着して前記受電端子を給電板に接続するように構成したことを特徴とする照明器具。
【請求項２】
前記照明具本体を、外周の対称位置に弾性を有する受電端子が設けられたロアケースと、光源が搭載され前記ロアケースの受電端子に接続される光源基板と、上面に反射面を有し外周の対称位置に支持軸が設けられ、前記光源基板に嵌合して結合され前記反射面に設けた開口部に前記光源を臨ませるようにしたリフレクターと、上面に一方の側が傾斜した開口部が設けられ、上部内壁に前記リフレクターの支持軸を支持する軸受部が設けられて前記リフレクターが回動可能に嵌入されるミドルケースと、該ミドルケースが回動可能に嵌入されて前記ロアケースに結合されるアッパーケースとによって構成したことを特徴とする請求項１記載の照明器具。
【請求項３】
前記光源にＬＥＤを用いたことを特徴とする請求項１又は２記載の照明器具。
【請求項４】
前記ミドルケースの外壁及びアッパーケースの内壁に、前記ミドルケースの回動範囲を規制するストッパを設けたことを特徴とする請求項２又は３記載の照明器具。
【請求項５】
前記光源基板に放熱手段を設けたことを特徴とする請求項１〜４のいずれかに記載の照明器具。
【請求項６】
前記放熱手段を、熱伝導の良好な材料からなり前記ロアケースと対向する面を放熱面積を増大する形状に形成した放熱部品を前記光源基板の背面に取付けて形成したことを特徴とする請求項５記載の照明器具。
【請求項７】
両側壁の内壁の長手方向に給電板が設けられたチャンネル状のレールベースと、該レールベースに装着される請求項１〜６のいずれかに記載の照明具本体との間に、該照明具本体の回り止め手段を設けたことを特徴とする照明装置。
【請求項８】
前記回り止め手段を、前記レールベースの天板内面の長手方向及びリップの前記天板と対向する面の長手方向の両者又はいずれか一方に設けた凹溝と、前記照明具本体の下面及びアッパーケースに設けた受電端子カバーの上面の両者又はいずれか一方に前記凹溝に対応して設けた凸部とによって構成したことを特徴とする請求項７記載の照明装置。
【請求項９】
前記レールベースと照明具本体との間に放熱手段を設けたことを特徴とする請求項７又は８記載の照明装置。
【請求項１０】
前記放熱手段を、前記レールベースの天板内面の長手方向に設けた熱伝導の良好な材料からなる放熱板と、熱伝導の良好な材料からなるロアケースと、熱伝導の良好な材料からなり前記光源基板とロアケースとの間に介装された柔軟性シートとによって構成したことを特徴とする請求項９記載の照明装置。
【発明の詳細な説明】
【技術分野】
【０００１】
本発明は、照明器具及び照明装置に係り、さらに詳しくは、棚下やニッチスペースなどに設置して商品や展示物などを効果的に照明する照明器具及び照明装置に関するものである。
【背景技術】
【０００２】
従来のこの種の照明装置に、合成樹脂からなる細長のケースに、陽極と陰極の電極を取り付けたＬＥＤチップと弾性を有する導電体とを交互に密接に配列して、ＬＥＤチップと導電体を直列に接続し、ＬＥＤチップの基部をケースの溝に係合させると共に、ＬＥＤチップの中心がケース溝の外部に臨むようにした発光ダイオードのレールライトがある（例えば、特許文献１参照）。
【０００３】
【特許文献１】特開２００４−１９１９０１号公報（第３−４頁、図１）
【発明の開示】
【発明が解決しようとする課題】
【０００４】
棚下やニッチスペースなどに設置する照明装置はスペースの制約が大きく、薄形タイプのものでないと対応できないが、特許文献１のレールライトは高さが高いため、このような場所に設置することは困難であった。また、このような場所に設置する照明装置は、展示された特定の商品などに光を集中して照明効果を高めることが望ましいが、特許文献１のＬＥＤチップはケースに固定されているため光の方向が一定であり、特定の商品などに光を集中することができなかった。
【０００５】
本発明は、上記の課題を解決するためになされたもので、棚やニッチスペースなどの狭い空間にも設置することができ、棚等に載置された商品や展示物に効果的に光を照射して演出効果を高めることのできる照明器具及び照明装置を提供することを目的とするものである。
【課題を解決するための手段】
【０００６】
本発明は、両側壁の内壁の長手方向に給電板が設けられたチャンネル状のレールベースに装着される照明器具において、下部外周の対称位置に受電端子が設けられ、光源が搭載された光源基板が内蔵されて前記光源の照射角度及び首振り角度が可変に形成された照明具本体とを有し、該照明具本体を前記レールベースに着脱可能かつ位置調整可能に装着して前記受電端子を給電板に接続するように構成したものである。
【発明の効果】
【０００７】
本発明に係る照明器具によれば、薄形に形成することができるので、棚やニッチスペースなどの狭い空間にも設置することができ、また、レールベースに装着した照明具本体の位置、照射角度及び首振り角度を調節することにより棚等に載置した商品や展示物に効果的に光を照射して演出効果を高めることができる。
【発明を実施するための最良の形態】
【０００８】
［実施の形態１］
図１は本発明の実施の形態１に係る照明器具が装着された照明装置の斜視図、図２は図１のレールベースの斜視図、図３は図１の照明具本体の斜視図、図４は図３の照明具本体の分解斜視図である。
図１、図２において、レールベース１は例えば合成樹脂成形品からなり、リップ４ａ，４ｂを有するチャンネル状に形成されている。そして、両側壁３ａ，３ｂの内壁の長手方向には、導電材料からなる帯状の給電板５ａ，５ｂがインサート、接着等により設けられている。なお、図には一方の側壁３ａを他方の側壁３ｂより高く形成した場合を示してあるが、両者は同じ高さであってもよい。４５は一端がレールベース１の給電板５ａ，５ｂに接続され、他端にコネクタ４６が接続された電源コードである。
【０００９】
照明具本体１０（以下、本体という）は、図３、図４に示すように、例えば、合成樹脂成形あるいはアルミニウムダイキャストにより形成されており、これを構成するロアケース１１は、有底の浅い円筒部１２と、その下部外周に設けられフランジ部１３とからなり、円筒部１２の外周の対称位置には、弾性を有する導電材からなり、一端が円筒部１２にインサートされて内周側に突出するほぼＪ字状の受電端子１４ａ，１４ｂが設けられており、内周側突出部にはリード線１５ａ，１５ｂが接続されている。
１６は例えばＬＥＤ、ハロゲンランプ等の光源１７が搭載された光源基板で、その外径は後述のリフレクター１８の内径とほぼ等しく形成されており、リード線１５ａ，１５ｂの他端が接続されている。
【００１０】
リフレクター１８は有天円筒状に形成され、天面は凹状の反射面１９に形成され、その中心部には開口部２０が設けられている。また、周壁の一方の側には下方に開口する切除部２１が形成されており、切除部２１の上方及びその対称位置には支持軸２２ａ，２２ｂ（２２ｂは図示してない）が突設されている。
【００１１】
２３はその下部外径がロアケース１１の円筒部１２の外径とほぼ等しく形成されたほぼ円筒状のミドルケースで、上面にはリフレクター１８が回動自在に配設される開口部２４が設けられており、この開口部２４の一方の側には所定の角度（例えば、３０°〜４０°）に切除された傾斜面２５が設けられて、開口部２４がほぼ楕円形になっている。そして、開口部２４の内壁の傾斜面２５と直交する位置には、対向して半円状の軸受部２６ａ，２６ｂ（２６ａは図示してない）が設けられており、また、傾斜面２５の下部及びこれと対称位置には、回動範囲を規制するストッパ２７ａ，２７ｂ（２７ａは図示してない）が突設されている。２８ａ，２８ｂは先端部に円弧状の支持部２９が形成され、軸受部２６ａ，２６ｂと対向して基部が天面に固定されて、リフレクター１８の支持軸２２ａ，２２ｂを支持する支持ばねである。
【００１２】
３０は内径がロアケース１１のフランジ部１３の外径とほぼ等しい円筒状のアッパーケースで、上面にはミドルケース２３が挿入しうる大きさの開口部３１が設けられており、外周下部の対称位置には、ロアケース１１に設けた受電端子１４ａ，１４ｂが嵌入する溝３３を有する受電端子カバー３２ａ，３２ｂが設けられている。３４ａ，３４ｂ（３４ａは図示してない）は内壁の上部の受電端子カバー３２ａ，３２ｂと直交する位置に突設され、ミドルケース２３のストッパ２７ａ，２７ｂが当接する固定ストッパである。
【００１３】
次に、上記のような各部からなる本体１０の組立手順の一例について説明する。
先ず、ロアケース１１の底部に、光源１７が搭載された光源基板１６を載置し、リード線１５ａ，１５ｂを光源基板１６に接続する。また、ミドルケース２３内に下からリフレクター１８を挿入し、その支持軸２２ａ，２２ｂをミドルケース２３の軸受部２６ａ，２６ｂに嵌合する。そして、支持ばね２８ａ，２８ｂをミドルケース２３に取付けて、その支持部２９と軸受部２６ａ，２６ｂとにより、支持軸２２ａ，２２ｂを回動可能に支持する。なお、支持ばね２８ａ，２８ｂをあらかじめミドルケース２３に取付けておいてもよい。このとき、リフレクター１８の上部は開口部２４内に位置し、一部は開口部２４から突出する。
【００１４】
次に、ミドルケース２３に取付けたリフレクター１８を、ロアケース１１の上部から光源基板１６に嵌合し、一体に結合してロアケース１１の底部上に載置すると共に、ミドルケース２３をロアケース１１の円筒部１２上に載置する。このとき、リード線１５ａ，１５ｂは切除部２１からリフレクター１８内に収容され、光源基板１６に搭載した光源１７は、リフレクター１８の反射面１９に設けた開口部２０から突出する。
【００１５】
最後に、アッパーケース３０を上方からミドルケース２３に嵌合し、受電端子カバー３２ａ，３２ｂに設けた溝３３をロアケース１１の受電端子１４ａ，１４ｂに嵌合して受電端子１４ａ，１４ｂの一部を覆うと共に、その下部をロアケース１１のフランジ部１３に結合する。このとき、受電端子１４ａ，１４ｂは受電端子カバー３２ａ，３２ｂから外方に突出する。これにより、本体１０の組立が完了する。なお、上記の組立手順は一例を示すもので、適宜変更することができる。
【００１６】
上記のように構成した本体１０においては、光源１７が搭載された光源基板１６と一体化されてミドルケース２３に軸支されたリフレクター１８は、支持軸２２ａ，２２ｂを中心に、ミドルケース２３の開口部２４の長軸方向に、周壁に当接するまで、例えば３０°〜４０°の範囲で回動することができる（以下、この回動角度を照射角度αという）。
また、リフレクター１８を支持するミドルケース２３は、ストッパ２７ａ又は２７ｂのいずれかが固定ストッパ３４ａ又は３４ｂに当接するまで、円周方向にほぼ１８０°の範囲で回転することができる（以下、この回動角度を首振り角度βという）。
【００１７】
次に、上記のように構成した本体１０のレールベース１への取付手順の一例について、図５により説明する。なお、レールベース１のリップ４ａ，４ｂの間隔Ｗは、本体１０のアッパーケース３０の外径より若干大きく形成されている。
先ず、本体１０の受電端子１４ａ，１４ｂを、破線で示すように、レールベース１の長手方向に位置させ、本体１０をリップ４ａ，４ｂの間から挿入してレールベース１の天板２に当接させる。そして、本体１０を矢印方向に、受電端子１４ａ，１４ｂがレールベース１の長手方向と直交する位置まで回転させる。
【００１８】
これにより、受電端子１４ａ，１４ｂは、その弾性により給電板５ａ，５ｂに圧着されて電気的に接続されると共に、本体１０を機械的にその位置に保持する。なお、本体１０の位置を変える場合は、レールベース１の長手方向に沿って押圧してもよく、あるいは、本体１０を回転させて受電端子１４ａ，１４ｂを給電板５ａ，５ｂから離脱させ、所望の位置に移動したのち本体１０を回転して受電端子１４ａ，１４ｂを給電板５ａ，５ｂに接続するようにしてもよい。
【００１９】
この場合、図６に示すように、レールベース１の天板２の内面の長手方向に凹溝６を設けると共に、リップ４ａ，４ｂの天板２と対向する面の長手方向に凹溝７ａ，７ｂを設け、また、図４に破線で示すように、本体１０のロアケース１１の下面に、凹溝６に対応して凸部３５ａ，３５ｂ（１個でもよい）を設けると共に、アッパーケース３０の受電端子カバー３２ａ，３２ｂの上面に、凹溝７ａ，７ｂに対応してそれぞれ凸部３６ａ，３６ｂを設ける（以下、これら凹溝６，７ａ，７ｂ、凸部３５ａ，３５ｂ，３６ａ，３６ｂを回り止め手段という）。
【００２０】
そして、図６に示すように、本体１０をレールベース１に装着したときに、本体１０に設けた凸部３５ａ，３５ｂと凸部３６ａ，３６ｂが、それぞれ凹溝６と凹溝７ａ，７ｂに嵌合するようにすれば、レールベース１に装着された本体１０が振動や衝撃により回転するのを防止することができる。また、本体１０がレールベース１の幅方向に移動することがないので、受電端子１４ａ，１４ｂは常に給電板５ａ，５ｂに圧着されて、接触不良を生ずることがない。さらに、本体１をレールベース１の長手方向に移動させるときにガイドとなるので、本体１０が動揺することがなく、スムーズに移動させることができる。なお、凹溝６，７ａ，７ｂ及び凸部３５ａ，３５ｂ，３６ａ，３６ｂは、それぞれ対応するいずれか一方のみ設けてもよい。
【００２１】
次に、本実施の形態に係る照明器具の使用例（作用）について説明する。
図７（ａ）は照明器具が装着された照明装置を設置した棚の一例の正面図、図７（ｂ）はその側面図である。棚５０を構成する下棚５１と上棚５２、上棚５２と天板５３との間隔Ｈはそれぞれ３００ｍｍで、上棚５２と天板５３の下面には、レールベース１に複数の本体１０が装着された照明装置がねじ止め等により設置されている。
そして、上棚５２に設置した照明装置は、レールベース１に３個の本体１０を近接して配置した本体群を２個所に設けてあり、天板５３に設置した照明装置は、６個の本体１０をほぼ等間隔に配置してある。
【００２２】
このようにして棚５０に設置した照明装置の各本体１０の照射角度α及び首振り角度βを適宜調節することにより、下棚５１と上棚５２上に載置した商品や展示物など５５に、集中的あるいは選択的に光を照射することができる。
本実施の形態によれば、棚やニッチスペースなどに載置した商品や展示物などを、レールベース１に装着した本体１０の位置、照射角度α、首振り角度βを適宜調節することにより、これら商品等に集中的あるいは選択的に光を照射することができるので、演出効果を高めることができる。
【００２３】
さらに、本実施の形態によれば、上記の効果に併せて、次のような効果を得ることができる。
（１）照明装置を薄形に構成したので、空間の狭い棚やニッチスペースなどにも設置することができる。
（２）必要な場所に必要な光を任意に照射できるため、無駄な電力を消費することがないので電力を節減することができる。
（３）棚等に照明装置を設置する場合に、棚等に穴明け加工や配線処理を行う必要がないので、デザイン性、施工性を向上することができる。また、レールベース１にリップ４ａ，４ｂを設けたので、給電板５ａ，５ｂに手を触れることがないため安全である。
（４）本体１０の位置を変える場合は、レールベース１に沿って移動させればよいので、操作が簡単である。
【００２４】
（５）光源１７にＬＥＤを使用した場合は、商品などの紫外線による劣化を防止することができ、また、光源の発熱による商品などへの悪影響を防止することができる。
（６）ＬＥＤは＋極と−極があるが、レールベース１及び本体１０をいずれも非対称形状とすることにより、本体１０をレールベース１に誤装着することがない。
【００２５】
［実施の形態２］
本体１０の光源１７が搭載された光源基板１６には多くの電子部品が実装されており、これらの電子部品が発熱して照明装置を取付けた棚などに熱が伝わって悪影響を及ぼすおそれがある。本実施の形態は、このような問題の発生を防止するために、本体１０に放熱手段を設けたものである。
【００２６】
図８は本実施の形態に係るレールベース及び本体の説明図である。なお、実施の形態１と同じ部分にはこれと同じ符号を付し、説明を省略する。
本実施の形態は、光源基板１６の背面（ロアケース１１側）に、例えば、アルミニウムの如き熱伝導の良好な金属材料からなり、一方の面（ロアケース１１側）に放熱面積を増大させるための凹凸やフィン等が設けられた放熱部品３７を取付けて、この光源基板１６を、ロアケース１１の底面から浮かせて（空間部３８を設けて）配置したものである。
【００２７】
本実施の形態によれば、光源基板１６で発生した熱を、放熱部品３７によりロアベース１１との間に形成された空間部３８に放熱するようにしたので、照明装置を取付けた棚等に伝熱することがない。なお、支持軸２２ａ，２２ｂを中心にリフレクター１８を回動した場合は、図８（ｂ）に示すように放熱部品３７とロアケース１１との間により大きい空間部３８が形成されるので、放熱効果に影響を与えることはない。
【００２８】
図９は本実施の形態の他の例のレールベース及び本体の説明図である。
本例においては、レールベース１を例えば合成樹脂の如き断熱素材で形成して、その天板２の長手方向の下面に、例えばアルミニウムの如き熱伝導の良好な金属材料からなる伝熱板８をインサートや接着等により取付け、また本体１のロアベース１１を、例えばアルミニウムの如き熱伝導の良好な金属素材で形成する。
そして、光源基板１６を、例えば弾性を有する熱伝導の良好な金属板、あるいは熱伝導性ゴム板等からなり、Ｕ字状に折曲げられた柔軟性シート３９を介してアロケース１１の底面に取付けたものである。
【００２９】
このように構成した本例においては、光源基板１６で発生した熱は、柔軟性シート３９、ロアケース１１を介してレールベース１の伝熱板８に伝達されて放熱されるので、照明装置を取付けた棚等に伝熱されることはない。なお、リフレクター１８を回動した場合は、図９（ｂ）に示すように、柔軟性シート３９は弾性変形してこれに追従するので、同様に放熱効果を得ることができる。
【００３０】
本実施の形態によれば、実施の形態１と同様の効果が得られるばかりでなく、本体１０に放熱手段を設けて光源基板１６で発生した熱を放熱するようにしたので、照明装置を取付けた棚等に伝熱されることがなく、これらに不具合を生ずることもない。
【００３１】
［実施の形態３］
実施の形態１では、本体１０をレールベース１に装着するにあたり、レールベース１のリップ４ａ，４ｂの間から本体１０を挿入し、回転してその受電端子１４ａ，１４ｂを給電板５ａ，５ｂに接続するようにしたが、本実施の形態は、本体１０を他の手段によりレールベース１に装着するようにしたものである。
【００３２】
図１０は本発明の実施の形態３に係る照明装置の説明図である。なお、実施の形態１と同一又は同じ機能の部分にはこれと同じ符号を付し、説明を省略する。
本実施の形態は、レールベース１の両側壁３ａ，３ｂを同じ高さに形成した。なお、実施の形態１のように、両側壁３ａ，３ｂの天面からリップ４ａ，４ｂの下面までの高さを等しくし、一方のリップ（例えば４ａ）を厚く形成してもよい。また、本体１０はアッパーケース３０を四角形成してその幅Ｗ2をレールベース１の給電板５ａ，５ｂの間隔Ｗ1とほぼ等しいか又は若干小さく形成し、その高さｈ1をレールベース１の天板２からリップ４ａ，４ｂの下面までの高さｈとほぼ等しく形成した。そして、ロアケース１１の対称位置に設けた弾性を有する受電端子１４ａ，１４ｂをアッパーケース３０の外周面から突出させた。
【００３３】
本実施の形態においては、本体１０のアッパーケース３０を、矢印で示すように、レールベース１の端部の開口部から、天板２、側壁３ａ，３ｂ及びリップ４ａ，４ｂで形成された領域に、天板２に沿って押込むことにより、レールベース１に本体１０が装着され、受電端子１４ａ，１４ｂが給電板５ａ，５ｂに接続される。なお、本体１０の位置を変える場合は、本体１０をレールベース１に沿って移動させればよく、また、本体１０をレールベース１から取外す場合は、レールベース１の両端部に設けた開口部から引き出せばよい。
【００３４】
図１１は本実施の形態の他の例の模式的説明図である。本例においては、図１１（ｂ）に示すように、断面円形又は四角形で、下面の先端部から基部に向って下降する傾斜面が設けられた受電端子４１ａ，４１ｂを有し、この受電端子４１ａ，４１ｂを図１０で示すような本体１０のロアケース１１に設けた開口部４０に挿入し、ロアケース１１と受電端子４１ａ，４１ｂの間に介装したコイルばね、板ばねの如き弾性体４２により開口部４０及びアッパーケース３０（図示せず）に設けた開口部に出没自在に配設したものである。
【００３５】
上記のように構成した本例においては、図１１（ａ）に示すように、本体１０をレールベース１の上からリップ４ａ，４ｂの間に挿入する。このとき、受電端子４１ａ，４１ｂはその傾斜面がリップ４ａ，４ｂに当って後退するので、本体１０を容易に挿入することができる。受電端子４１ａ，４１ｂがリップ４ａ，４ｂを越えると弾性体４２に付勢されて突出し、給電板５ａ，５ｂに接続され、本体１０のアッパーケース３０はレールベース１の天板２、側壁３ａ，３ｂ、リップ４ａ，４ｂに囲まれた領域内に保持される。なお、本体１０の位置を変える場合は、本体１０をレールベース１に沿って移動させればよく、また、本体１０をレールベース１から取外す場合は、レールベース１の両端部に設けた開口部から引き出せばよい。
【００３６】
上記の説明では、本体１０を四角形状に形成した場合を示したが、例えば、ロアケース１１及びアッパーケース３０を四角形に形成し、リフレクター１８及びミドルケース２３は実施の形態１の場合と同様に円筒状に形成してもよい。さらに、本体１０を実施の形態１の場合と同様に円筒状に形成してもよく、この場合は、レールベース１及び本体１０に、図６で説明したような回り止め手段である凹溝６，７ａ，７ｂ、凸部３５ａ，３５ｂ，３６ａ，３６ｂを設けることが望ましい。
【００３７】
上記のように構成した本実施の形態においても、実施の形態１の場合と同様の効果が得られるが、さらに、レールベース１への本体１０の着脱が容易である。
【図面の簡単な説明】
【００３８】
【図１】本発明の実施の形態１に係る照明装置の斜視図である。
【図２】図１のレールベースの斜視図である。
【図３】図１の照明具本体の斜視図である。
【図４】図３の照明具本体の分解斜視図である。
【図５】レールベースへの照明具本体の取付手順の説明図である。
【図６】図１の照明装置の他の例の一部断面図である。
【図７】図１の照明装置の使用例（作用）の説明図である。
【図８】本発明の実施の形態２に係る照明装置の断面図である。
【図９】実施の形態２の他の例の断面図である。
【図１０】本発明の実施の形態３に係る照明装置の説明図である。
【図１１】実施の形態３の他の例の説明図である。
【符号の説明】
【００３９】
１  レールベース、２  天板、３ａ，３ｂ  側壁、４ａ，４ｂ  リップ、５ａ，５ｂ  給電板、６，７ａ，７ｂ  凹溝、１０  照明具本体（本体）、１１  ロアケース、１４ａ，１４ｂ  受電端子、１６  光源基板、１７  光源、１８  リフレクター、２２ａ，２２ｂ  支持軸、２３  ミドルケース、２６ａ，２６ｂ  軸受部、２７ａ，２７ｂ  ストッパ、３０  アッパーケース、３２ａ，３２ｂ  受電端子カバー、３４ａ，３４ｂ  固定ストッパ、３５ａ，３５ｂ，３６ａ，３６ｂ  凸部、３７  放熱部品、３９  柔軟性シート。
【図１】
2006236796.tif 000003
【図２】
2006236796.tif 000004
【図３】
2006236796.tif 000005
【図４】
2006236796.tif 000006
【図５】
2006236796.tif 000007
【図６】
2006236796.tif 000008
【図７】
2006236796.tif 000009
【図８】
2006236796.tif 000010
【図９】
2006236796.tif 000011
【図１０】
2006236796.tif 000012
【図１１】
2006236796.tif 000013